(57)【要約】【要  約】【課  題】    冷蔵庫の冷凍サイクルの冷媒圧力が高く、それに対応して、冷媒の流れを切り換える三方切換弁に駆動能力が高いものが採用されても、三方切換弁の駆動モータの消費電力を極力少なくする。【解決手段】  冷蔵庫（１）は、コンプレッサ（１１）からの冷媒が、放熱器（１３）を介して三方切換弁（１６）に流れ、この三方切換弁で、第１の貯蔵室（３ａ）を冷却する第１蒸発器（６）への第１流路（１７）または、第２の貯蔵室（３ｄ）を冷却する第２蒸発器（７）への第２流路（１８）に切り換えられて、再びコンプレッサに戻る冷凍サイクルと、三方切換弁の駆動モータ（１６ａ）を制御する制御装置（５１）とを備え、この制御装置が、外気温に基づいて、外気温の低い際には駆動電圧が低くなるように、前記三方切換弁の駆動モータの駆動電圧を制御している。【選択図】  図１
2006064280.tif 000002
【特許請求の範囲】
【請求項１】
コンプレッサからの冷媒が、放熱器を介して三方切換弁に流れ、この三方切換弁で、第１の貯蔵室を冷却する第１蒸発器への第１流路または、第２の貯蔵室を冷却する第２蒸発器への第２流路に切り換えられて、再びコンプレッサに戻る冷凍サイクルと、
前記三方切換弁の駆動モータを制御する制御装置とを備え、
この制御装置が、冷凍サイクルの高圧側の冷媒圧力が低い際には駆動電圧が低くなるように、前記三方切換弁の駆動モータの駆動電圧を制御していることを特徴とする冷蔵庫。
【請求項２】
コンプレッサからの冷媒が、放熱器を介して三方切換弁に流れ、この三方切換弁で、第１の貯蔵室を冷却する第１蒸発器への第１流路または、第２の貯蔵室を冷却する第２蒸発器への第２流路に切り換えられて、再びコンプレッサに戻る冷凍サイクルと、
前記三方切換弁の駆動モータを制御する制御装置とを備え、
この制御装置が、外気温に基づいて、外気温の低い際には駆動電圧が低くなるように、前記三方切換弁の駆動モータの駆動電圧を制御していることを特徴とする冷蔵庫。
【請求項３】
前記駆動モータがステッピングモータであることを特徴とする請求項１または２記載の冷蔵庫。
【請求項４】
前記三方切換弁から第２流路側に流れた冷媒は、第２蒸発器用第１膨張部を介して気液分離器に流入し、この気液分離器で気体状の冷媒と液体状の冷媒とに分けられ、気体状の冷媒はコンプレッサの中間圧部に戻るとともに、液体状の冷媒は第２蒸発器用第２膨張部および前記第２蒸発器を介してコンプレッサの吸込口に戻っていることを特徴とする請求項１，２または３記載の冷蔵庫。
【発明の詳細な説明】
【技術分野】
【０００１】
本発明は、コンプレッサからの冷媒が、放熱器を介して三方切換弁に流れ、この三方切換弁で、第１の貯蔵室を冷却する第１蒸発器への第１流路または、第２の貯蔵室を冷却する第２蒸発器への第２流路に切り換えられて、再びコンプレッサに戻る冷凍サイクルを備えた冷蔵庫に関する。
【背景技術】
【０００２】
従来の冷蔵庫（たとえば、特許文献１など参照）は、図７に図示するような冷凍サイクルを備えている。図７は従来の冷蔵庫の冷凍サイクルの冷媒回路図である。
コンプレッサ０１からの冷媒は凝縮器０２、三方切換弁０３に流れ、この三方切換弁０３で、冷媒の流れは冷蔵用蒸発器０６側または冷凍用蒸発器０７側に切り換えられる。そして、冷蔵用蒸発器０６側に流れた冷媒は、冷蔵用キャピラリーチューブ０１１を介して冷蔵用蒸発器０６に流れ、この冷蔵用蒸発器０６で冷蔵室などを冷却し、逆止弁０１２を介してコンプレッサ０１に戻っている。また、冷凍用蒸発器０７側に流れた冷媒は、冷凍用キャピラリーチューブ０１６を介して冷凍用蒸発器０７に流れ、この冷凍用蒸発器０７で冷凍室などを冷却し、逆止弁０１７を介してコンプレッサ０１に戻っている。この様に構成されている従来の冷凍サイクルでは、冷媒としてフロンが用いられている。
【０００３】
ところで、地球温暖化防止のために、温暖化係数（ＧＷＰ）の高いフロンから、温暖化係数の低い自然冷媒の使用が検討されている。この自然冷媒としては、プロパンやイソブタンなどの炭化水素系（ＨＣ系）、アンモニア、二酸化炭素（ＣＯ２）などがある。自然冷媒はフロンと特性が当然異なるが、特に、ＣＯ２冷媒は、温度約３１℃、圧力約７ＭＰａで臨界点に達する。したがって、外気温（この明細書では、「外気温」は、冷蔵庫の外側の空間の温度、すなわち、冷蔵庫の設置されている場所の室温を意味する）が約３１℃以上になると、放熱器（従来の凝縮器に相当する）において、ガス状冷媒が、超臨界域で状態変化しながら空冷されることになる。そのため、臨界点の温度の高いフロン系冷媒を使用した場合に比して、ＣＯ２冷媒を使用した場合には、冷凍サイクルの高圧側の圧力を高くする必要がある。この様に、冷凍サイクルの高圧側の圧力を高くすると、三方切換弁０３に加わる冷媒圧力が高くなる。したがって、三方切換弁０３はこの高い冷媒圧力に抗する駆動力（すなわち、回転トルク）が要求されるため、駆動能力の大きなものが採用される。それにともなって、三方切換弁０３の消費電力が増大する。
【特許文献１】特開２００２−２８６３４７号公報
【発明の開示】
【発明が解決しようとする課題】
【０００４】
解決しようとする問題点は、冷凍サイクルの冷媒圧力が高いと、冷媒の流れを切り換える三方切換弁に駆動能力が高いものが採用され、それにともなって、三方切換弁を駆動するための消費電力が増大する点である。
【課題を解決するための手段】
【０００５】
本発明の冷蔵庫（１）は、コンプレッサ（１１）からの冷媒が、放熱器（１３）を介して三方切換弁（１６）に流れ、この三方切換弁で、第１の貯蔵室（３ａ）を冷却する第１蒸発器（６）への第１流路（１７）または、第２の貯蔵室（３ｄ）を冷却する第２蒸発器（７）への第２流路（１８）に切り換えられて、再びコンプレッサに戻る冷凍サイクルと、三方切換弁の駆動モータ（１６ａ）を制御する制御装置（５１）とを備え、この制御装置が、冷凍サイクルの高圧側の冷媒圧力が低い際には駆動電圧が低くなるように、前記三方切換弁の駆動モータの駆動電圧を制御している。
【０００６】
また、制御装置が、外気温に基づいて、外気温の低い際には駆動電圧が低くなるように、前記三方切換弁の駆動モータの駆動電圧を制御していることがある。
そして、駆動モータがステッピングモータであることがある。
【０００７】
さらに、三方切換弁から第２流路側に流れた冷媒は、第２蒸発器用第１膨張部（３１）を介して気液分離器（３２）に流入し、この気液分離器で気体状の冷媒と液体状の冷媒とに分けられ、気体状の冷媒はコンプレッサの中間圧部（１１ｃ）に戻るとともに、液体状の冷媒は第２蒸発器用第２膨張部（４１，４２）および前記第２蒸発器を介してコンプレッサの吸込口に戻っていることがある。
【発明の効果】
【０００８】
本発明によれば、制御装置が、冷凍サイクルの高圧側の冷媒圧力が低い際には駆動電圧が低くなるように、三方切換弁の駆動モータの駆動電圧を制御している。したがって、冷媒圧力が低い際には、三方切換弁の駆動モータの駆動電圧を低くして、その消費電力を小さくしている。その結果、特に、外気温が高い際に、ＣＯ２冷媒などのガス状冷媒が超臨界域で状態変化しながら放熱器で空冷される冷媒圧力の高い冷蔵庫において、この高い冷媒圧力に対応して駆動能力の大きな駆動モータを採用しても、その消費電力を極力小さくすることができる。
【０００９】
このように、冷凍サイクルの高圧側の冷媒圧力に応じて、駆動モータの駆動電圧を制御しているが、高圧側の冷媒圧力を直接検知することは、コスト面から現実的ではない。そこで、外気温で高圧側の冷媒圧力を類推して、制御装置が、外気温に基づいて、外気温の低い際には駆動電圧が低くなるように、前記三方切換弁の駆動モータの駆動電圧を制御していることがある。
そして、駆動モータがステッピングモータの場合には、フィードバック制御を行う必要がなくなる。
【００１０】
さらに、コンプレッサからの冷媒は放熱器、第２蒸発器用第１膨張部を介して気液分離器に流入し、この気液分離器で気体状の冷媒と液体状の冷媒とに分けられ、気体状の冷媒はコンプレッサの中間圧部に戻るとともに、液体状の冷媒は第２蒸発器用第２膨張部および前記第２蒸発器を介してコンプレッサの吸込口に戻しており、この二段膨張で、図２のｃ−ｂに示すように、冷却能力を向上させることができる。
【発明を実施するための最良の形態】
【００１１】
冷蔵庫の冷凍サイクルの冷媒圧力が高く、それに対応して、冷媒の流れを切り換える三方切換弁に駆動能力が高いものが採用されても、三方切換弁の駆動モータの消費電力を極力少なくするという目的を、制御装置により、冷凍サイクルの高圧側の冷媒圧力が低い際には駆動電圧が低くなるように、三方切換弁の駆動モータの駆動電圧を制御することで実現した。
【実施例】
【００１２】
次に、本発明における冷蔵庫の一実施例について、図１ないし図６を用いて説明する。図１は本発明における冷蔵庫の冷凍サイクルの冷媒回路図である。図２は図１の冷凍サイクルの P-h線図である。図３は冷蔵庫の概略の正面図である。図４は制御装置の概略の入出力図である。図５は三方切換弁の駆動電圧を制御するためのフローチャートである。図６は三方切換弁の駆動モータの入力端子に加わる駆動パルスのタイムチャートである。
【００１３】
図３において、家庭用の冷蔵庫１は、その本体である外郭が断熱箱体２で構成されている。この断熱箱体２の内部空間（すなわち庫内）は、設定温度の異なる複数の貯蔵室３（この実施例では５室）に仕切られており、各貯蔵室３は冷蔵室３ａ、アイス室３ｂ、冷凍や冷蔵を選べるセレクト室３ｃ、冷凍室３ｄや野菜室３ｅなどになっている。また、断熱箱体２の前面開口は、断熱扉で開閉可能に閉じられている。そして、冷蔵室３ａは冷蔵室用蒸発器である第１蒸発器６で、また、アイス室３ｂ、セレクト室３ｃおよび冷凍室３ｄは冷凍室用蒸発器である第２蒸発器７で冷却される。野菜室３ｅは、冷凍室３ｄとの間の隔壁などを介して、冷凍室３ｄの冷気で間接的に冷却される。
【００１４】
そして、蒸発器６，７などは、図１に図示する冷凍サイクルを構成し、この冷凍サイクルは冷媒として自然冷媒であるＣＯ２冷媒を使用している。コンプレッサ１１は二段圧縮式で、第１圧縮部１１ａおよび第２圧縮部１１ｂを具備し、第１圧縮部１１ａの吐出側は中間圧熱交換器１２を介して第２圧縮部１１ｂの吸込側に接続されている。このコンプレッサ１１は、第１圧縮部１１ａの吸込側から吸い込んだ気体状の冷媒を圧縮し、この冷媒を中間圧熱交換器１２で空冷し、さらに第２圧縮部１１ｂで圧縮する。そして、この圧縮した冷媒を、第２圧縮部１１ｂの吐出側から放熱器１３に吐出する。冷媒は放熱器１３で空冷され、デハイドレータ１４を介して三方切換弁１６に流れる。
【００１５】
この三方切換弁１６で、放熱器１３からの冷媒は第１蒸発器６への第１流路１７または第２蒸発器７への第２流路１８に切り換えられて流れる。三方切換弁１６は、放熱器１３からの流入流路１９を第１流路１７に接続する第１切換位置、放熱器１３からの流入流路１９を第２流路１８に接続する第２切換位置、および放熱器１３からの流入流路１９の流れを閉じる遮断位置の３位置をとることができる。
【００１６】
三方切換弁１６から第１流路１７に流れた冷媒は、第１蒸発器用膨張部である第１キャピラリーチューブ２１を流れて膨張して温度が低下し、第１蒸発器６に流入し、この第１蒸発器６で第１蒸発器６の周囲の空気と熱交換して第１の貯蔵室３（特に、冷蔵室３ａ）を冷却する。そして、第１蒸発器６から出た冷媒は、第１熱交換部２２で第１キャピラリーチューブ２１を流れる冷媒と熱交換を行い、冷却効率を向上させている。次いで、逆止弁２３を介してコンプレッサ１１の吸込口（すなわち、第１圧縮部１１ａの吸込側）に戻っている。
【００１７】
一方、三方切換弁１６から第２流路１８に流れた冷媒は、第２蒸発器用第１膨張部である第２キャピラリーチューブ３１を流れて膨張して温度が低下し、中間圧用気液分離器３２に流入する。この気液分離器３２で気体状の冷媒と液体状の冷媒とに分けられる。
【００１８】
そして、気液分離器３２の気体状の冷媒は、気液分離器３２から流れ出て中間圧冷媒流路３６を通って、コンプレッサ１１の中間圧部１１ｃ（すなわち、第２圧縮部１１ｂの吸込側）に流れる。この気液分離器３２とコンプレッサ１１の中間圧部１１ｃを接続する中間圧冷媒流路３６には、逆流を防止する逆止弁３８が設けられている。
【００１９】
また、気液分離器３２の液体状の冷媒は、気液分離器３２から流れ出て第２蒸発器用第２膨張部である第３キャピラリーチューブ４１および電動膨張弁４２で膨張して温度が低下し、第２蒸発器７に流入する。この第２蒸発器７で、第２蒸発器７の周囲の空気と熱交換して第２の貯蔵室３（特に、アイス室３ｂ、セレクト室３ｃおよび冷凍室３ｄ）を冷却する。そして、第２蒸発器７から出た冷媒は、逆止弁４３を介して、再びコンプレッサ１１の吸込口に戻る。また、第２蒸発器７からコンプレッサ１１に流れる冷媒は、第２キャピラリーチューブ３１を流れる冷媒と第２熱交換部４４で熱交換を行い、冷却効率を向上させている。
【００２０】
この様に構成されている冷蔵庫１は、三方切換弁１６を切り換えることにより、第１蒸発器６または第２蒸発器７で貯蔵室３を冷却することができる。そして、外気温（冷蔵庫１の設置されている場所の温度）が臨界点（温度約３１℃）よりも高く、かつ、三方切換弁１６が第２流路１８（すなわち、第２蒸発器７）側に切り換わっている場合について、図２の P-h線図に基づいて、説明する。
【００２１】
コンプレッサ１１が稼働すると、ガス状の冷媒（ＣＯ２）はコンプレッサ１１の一段目（すなわち、第１圧縮部１１ａ）で圧縮され、高温・高圧のガス状冷媒となり、中間圧熱交換器１２において外気（冷蔵庫の設置されている部屋の空気）で空冷されて温度が低下し、コンプレッサ１１の二段目（すなわち、第２圧縮部１１ｂ）に戻る。
【００２２】
そして、冷媒はコンプレッサ１１の二段目でさらに圧縮され、高温・高圧のガス状冷媒となり、放熱器１３において空冷されて、超臨界域で状態変化しながら、冷媒の温度は外気温付近まで低下する。この外気温付近まで低下した冷媒は、第２キャピラリーチューブ３１を通って減圧され、温度が低下し、気液が混合した状態となって気液分離器３２に流入する。そして、この気液分離器３２で気体状の冷媒と液体状の冷媒とに分離され、気体状の冷媒はコンプレッサ１１の中間圧部１１ｃに、一方、液体状の冷媒は、第３キャピラリーチューブ４１および電動膨張弁４２で膨張した後にコンプレッサ１１の吸込口（すなわち、第１圧縮部１１ａの吸込側）に流れる。この様にして、気液分離器３２を設けて、気液混合の冷媒を気体状の冷媒と液体状の冷媒とに分離し、液体状の冷媒をさらに膨張させることで、一段膨張の場合の冷却能力（図２のａ−ｂ）よりも大きな冷却能力（図２のｃ−ｂ）を得ることができる。
【００２３】
冷蔵庫はこの様に構成されているので、外気温が高い際には、放熱器１３において超臨界域で状態変化しており、コンプレッサ１１の吐出圧は約１０ＭＰａと高くなっている。
【００２４】
また、この冷蔵庫には、図４に図示する制御装置５１が設けられており、この制御装置５１はマイコンなどで構成されている。そして、制御装置５１には、種々の電気部品が接続されているが、特に三方切換弁１６などの制御のための電気部品として、入力側に、外気温センサ５２、冷蔵室温度センサ５３および冷凍室温度センサ５４などが接続され、一方、出力側に、コンプレッサ１１、三方切換弁１６の駆動モータ１６ａおよび電動膨張弁４２などが接続されている。そして、三方切換弁１６の駆動モータ１６ａはステッピングモータなどで構成されている。なお、制御装置５１の記憶部（ＲＯＭやＲＡＭなど）には種々の設定値（たとえば、冷蔵室３ａの冷蔵室設定温度や冷凍室３ｄの冷凍室設定温度など）が記憶されるとともに、図示しないタイマを内蔵している。また、制御装置５１は、三方切換弁１６の制御以外に種々の制御を行っている。外気温センサ５２は、放熱器用送風機５６（図１参照）により放熱器１３に送風される空気の温度（すなわち、冷蔵庫の設置されている場所の温度）を検出する。そして、冷蔵室温度センサ５３は冷蔵室３ａの庫内温度を検出し、冷凍室温度センサ５４は冷凍室３ｄの庫内温度を検出する。
【００２５】
そして、冷蔵室温度センサ５３の検出した検出値である冷蔵室温度および、冷凍室温度センサ５４の検出した検出値である冷凍室温度が制御装置５１に入力されると、制御装置５１は記憶部に記憶された冷蔵室設定温度および冷凍室設定温度と比較する。制御装置５１は、冷蔵室温度センサ５３の検出値が冷蔵室設定温度よりも高く、かつ、冷凍室温度センサ５４の検出値が冷凍室設定温度よりも高い場合には、コンプレッサ１１に稼働信号を出力し、また、電動膨張弁４２を外気温センサ５２の検出する外気温などに基づいて適度な角度で開けるとともに、三方切換弁１６の駆動モータ１６ａに切換指令を出して三方切換弁１６を第１切換位置に切り換え、放熱器１３からの冷媒を第１蒸発器６に流し、冷蔵室３ａを冷却する。コンプレッサ１１の回転数は、制御装置５１が、外気温センサ５２の検出値などに基づいて決定しており、外気温が高くなると、コンプレッサ１１の回転数が高くなるように設定している。この冷却にともなって、冷蔵室３ａの温度が漸次低下し、冷蔵室設定温度になる。そして、制御装置５１は随時、冷蔵室温度センサ５３からの検出値が冷蔵室設定温度になったか否かを判断しており、冷蔵室設定温度になったと判断すると、三方切換弁１６の駆動モータ１６ａに切換指令を出して三方切換弁１６を第２切換位置に切り換え、放熱器１３からの冷媒を第２蒸発器７に流し、冷凍室３ｄなどを冷却する。
【００２６】
冷凍室設定温度は冷蔵室設定温度よりも低く設定されている。したがって、冷凍室３ｄを冷却している際には、冷蔵室３ａを冷却している時よりも、冷却能力を増大させるために、制御装置５１はコンプレッサ１１の回転数が高くなるように制御している。この冷却にともなって、冷凍室３ｄなどの温度が漸次低下し、冷凍室設定温度になる。そして、制御装置５１は随時、冷凍室温度センサ５４からの検出値が冷凍室設定温度になったか否かを判断しており、冷凍室設定温度になったと判断すると、コンプレッサ１１を停止するとともに、三方切換弁１６の駆動モータ１６ａに切換指令を出して遮断位置に切り換え、放熱器１３から第２キャピラリーチューブ３１への冷媒の流れを遮断する。また、制御装置５１は、コンプレッサ１１の停止と略同時に、電動膨張弁４２に閉止指令を出力し、電動膨張弁４２を閉じる。
【００２７】
前述のように、この冷蔵庫は、ＣＯ２冷媒が使用され、外気温が高い際には、放熱器１３において超臨界域で状態変化しており、コンプレッサ１１の回転数を上げて、その吐出圧を高くしている。この高い圧力に抗して、三方切換弁１６を切り換えることができるように、三方切換弁１６の駆動モータ１６ａの駆動能力は、従来のフロンを用いた冷蔵庫よりも、大きなものを採用している。すると、駆動モータ１６ａを駆動するのに要する消費電力が増大する。
【００２８】
したがって、この実施例では、駆動モータ１６ａの消費電力を極力少なくするために、外気温センサ５２の検出する外気温が低く、それにともなって、コンプレッサ１１の回転数が低くなって、コンプレッサ１１からの吐出圧が低い際には、三方切換弁１６の駆動モータ１６ａを小さなトルクで回転させて、消費電力を少なくしている。この制御のフローを図５のフローチャートに基づいて説明する。
【００２９】
ステップ１において、冷蔵室温度センサ５３の検出値や冷凍室温度センサ５４の検出値に基づいて、制御装置５１が三方切換弁１６の切換信号を生成すると、ステップ２において、制御装置５１は、外気温センサ５２から検出値である外気温をサンプリングして入手する。そして、ステップ３において、制御装置５１は入手した外気温に基づいて、外気温が低くなると駆動パルスの電圧が低下するように、駆動モータ１６ａの駆動パルスの電圧を決定する。ついで、ステップ４において、制御装置５１は決定した電圧の駆動パルスを三方切換弁１６の駆動モータ１６ａに出力する。
【００３０】
そして、図６のタイムチャートに示すように、三方切換弁１６の駆動モータ１６ａの各入力端子ａ〜ｄに入力される駆動パルスの駆動電圧は、外気温が高い際には実線の電圧Ａで示すように高く、一方、外気温が低い際には破線の電圧Ｂで示すように低くして、駆動モータ１６ａの消費電力を小さくしている。なお、駆動パルスの周波数は略一定である。
【００３１】
この様にして、冷蔵庫１は、コンプレッサ１１、電動膨張弁４２および三方切換弁１６の駆動モータ１６ａを制御する制御装置５１と、第１の貯蔵室の温度を検出する第１温度検出手段（冷蔵室温度センサ５３）と、第２の貯蔵室の温度を検出する第２温度検出手段（冷凍室温度センサ５４）と、外気温を検出する外気温検出手段（外気温センサ５２）とを備え、制御装置５１は、第１温度検出手段、第２温度検出手段および外気温検出手段からのデータを取得する入力手段と、外気温に基づいて、外気温の低い際には駆動電圧が低くなるように、三方切換弁１６の駆動モータ１６ａの駆動電圧を決定する駆動電圧決定手段と、取得したデータに基づいてコンプレッサ１１、電動膨張弁４２および三方切換弁１６の駆動モータ１６ａを制御する出力手段とを具備している。
【００３２】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）実施例においては、コンプレッサは二段圧縮であるが、コンプレッサの形式や構造は適宜選択可能である。
（２）冷蔵庫の貯蔵室の形式、個数や配置は適宜変更可能である。たとえば、冷蔵室、冷凍室、氷温室、チルド、製氷室および野菜室などを適宜箇所に、適宜の個数配置することができる。
【００３３】
（３）第１蒸発器６側の冷媒回路を、第２蒸発器７側の冷媒回路と同様に、気液分離器３２が設けられている構造とすることができる。ただし、気液分離器は蒸発器の上側に配置する必要があり、配置スペースが大きくなるため、冷蔵庫がコンパクトになるように、冷凍側よりも設定温度の高い冷蔵側（すなわち、第１蒸発器６側）の冷媒回路には、気液分離器を設けないことが好ましい。
（４）逆止弁は、冷媒の流れの逆流を防止することができるならば、その形式は適宜選択可能である。
【００３４】
（５）三方切換弁１６の駆動モータ１６ａに加える駆動パルスのパターンは、適宜変更可能である。
（６）冷媒は必ずしも、ＣＯ２冷媒に限定されるものではなく、他の種類の冷媒（たとえば、フロン系冷媒）を用いることも可能である。
（７）三方切換弁の駆動モータは必ずしも、ステッピングモータである必要はなく、他の形式のモータを用いることも可能である。
【産業上の利用可能性】
【００３５】
制御装置により、冷凍サイクルの高圧側の冷媒圧力が低い際には駆動電圧が低くなるように、三方切換弁の駆動モータの駆動電圧を制御しており、外気温が低く、冷媒圧力の低い場合には、駆動モータの消費電力を小さくしている。したがって、ＣＯ２冷媒などのガス状冷媒が、外気温の高い際などに、超臨界域で状態変化しながら放熱器で空冷されており、冷凍サイクルの冷媒の圧力が高く、それに対応して、三方切換弁の駆動モータが高い駆動能力を要求される冷蔵庫に適用することが最適である。
【図面の簡単な説明】
【００３６】
【図１】図１は本発明における冷蔵庫の冷凍サイクルの冷媒回路図である。
【図２】図２は図１の冷凍サイクルの P-h線図である。
【図３】図３は冷蔵庫の概略の正面図である。
【図４】図４は制御装置の概略の入出力図である。
【図５】図５は三方切換弁の駆動電圧を制御するためのフローチャートである。
【図６】図６は三方切換弁の駆動モータの入力端子に加わる駆動パルスのタイムチャートである。
【図７】図７は従来の冷蔵庫の冷凍サイクルの冷媒回路図である。
【符号の説明】
【００３７】
１  冷蔵庫
３  貯蔵室
３ａ  冷蔵室（第１の貯蔵室）
３ｄ  冷凍室（第２の貯蔵室）
６  第１蒸発器
７  第２蒸発器
１１  コンプレッサ
１１ｃ  コンプレッサの中間圧部
１３  放熱器
１６  三方切換弁
１６ａ  三方切換弁の駆動モータ
１７  第１流路
１８  第２流路
２１  第１キャピラリーチューブ
３１  第２キャピラリーチューブ（第２蒸発器用第１膨張部）
３２  気液分離器
４１  第３キャピラリーチューブ（第２蒸発器用第２膨張部）
４２  膨張弁（第２蒸発器用第２膨張部）
５１  制御装置
【図１】
2006064280.tif 000003
【図２】
2006064280.tif 000004
【図３】
2006064280.tif 000005
【図４】
2006064280.tif 000006
【図５】
2006064280.tif 000007
【図６】
2006064280.tif 000008
【図７】
2006064280.tif 000009